(57)【要約】【課題】  ドラム内の洗濯物に効果的に給水できて、洗濯効果を速やかに得ることができるようにする。【解決手段】  給水装置１４による給水の際に、ドラム１７を、蓋２１の縁部で形成した給水受口２２が給水装置１４の給水出口１６の付近で往復する正逆回転動作をさせるようにした。これにより、ドラム１７内に直接給水ができ、ドラム１７内の洗濯物に速やかに水をしみ込ませ得るから、洗濯効果を速やかに得ることができる。【選択図】  図１
2005230170.tif 000002
【特許請求の範囲】
【請求項１】
水槽と、
この水槽の内部に配設されたドラムと、
このドラムを回転駆動する駆動装置と、
前記ドラムが胴部に有する洗濯物出入口を開閉するように設けられた蓋と、
この蓋の縁部で形成された給水受口と、
前記水槽の内部に給水する給水装置とを具備し、
その給水装置による給水の際に、前記ドラムを、前記給水受口が前記給水装置の給水出口の付近で往復する正逆回転動作をさせるようにしたことを特徴とするドラム式洗濯機。
【請求項２】
ドラムの正逆回転動作の回転速度を、駆動装置の制御可能最低速度としたことを特徴とする請求項１記載のドラム式洗濯機。
【請求項３】
ドラムの正逆回転動作の回転角度を、駆動装置の制御可能最小角度としたことを特徴とする請求項１記載のドラム式洗濯機。
【請求項４】
水槽と、
この水槽の内部に配設されたドラムと、
このドラムを回転駆動する駆動装置と、
前記ドラムが胴部に有する洗濯物出入口を開閉するように設けられた蓋と、
この蓋の縁部で形成され、ドラムの一方の回転方向に指向する給水受口と、
前記水槽の内部に給水する給水装置とを具備し、
その給水装置による給水の後に、前記ドラムを、前記給水受口の指向方向に回転させるようにしたことを特徴とするドラム式洗濯機。
【請求項５】
給水直後のドラムの回転時限を、その後のドラムの回転時限より長くしたことを特徴とする請求項４記載のドラム式洗濯機。
【発明の詳細な説明】
【技術分野】
【０００１】
本発明は給水構造を改良したドラム式洗濯機に関する。
【背景技術】
【０００２】
近年、ドラム式洗濯機においては、洗濯物の出し入れの仕方の違いで、フロントオープンタイプのものと、トップオープンタイプのものとが一般的に供されている。このうち、フロントオープンタイプのものは、扉を前面に有して、この前面から洗濯物を出し入れするものであり、トップオープンタイプのものは、扉（蓋）を上面に有して、この上面から洗濯物を出し入れするものである。
【０００３】
しかして、給水構造については、フロントオープンタイプのものは、水を機内の前上部から扉の裏面部を伝わらせてドラムの内部と該ドラムを収容した水槽の内部へと分け入れるようにしており、このため、給水の全部がドラムの内部に入れられることはなく、多くが水槽の内部（ドラムと水槽との間）に入れられた後にドラムの脱水用や通風用の連通孔からドラムの内部へと入れられるようになっている。
【０００４】
一方、トップオープンタイプのものは、水を機内の後上部からドラムの胴部の背面部を伝わらせて水槽の内部（ドラムと水槽との間）に入れるようにしており、このため、この場合も、直接的には給水の一部がドラムの連通孔からドラムの内部へと入るに過ぎず、残りのほとんどはドラムと水槽との間の底部に溜まって、そこからドラムの連通孔を通じドラムの内部へと入れられるようになっている。
【特許文献１】特開平８−２６６７７７号公報
【発明の開示】
【発明が解決しようとする課題】
【０００５】
しかしながら、上述のように、給水の多くがドラムと水槽との間に入れられて、そこからドラムの連通孔を通じドラムの内部へと入れられるものでは、ドラムの内部に収容された洗濯物に対する水のしみ込みに時間がかかるため、洗濯効果を速やかに得ることが困難であり、その結果として、撹拌時間を長くする必要が生じるなどで、洗濯時間が長くなるという欠点を有していた。
【０００６】
本発明は上述の事情に鑑みてなされたものであり、従ってその目的は、ドラム内の洗濯物に効果的に給水できて、洗濯効果を速やかに得ることができ、洗濯時間の短縮化ができるドラム式洗濯機を提供するにある。
【課題を解決するための手段】
【０００７】
上記目的を達成するために、本発明のドラム式洗濯機においては、第１に、水槽と、この水槽の内部に配設されたドラムと、このドラムを回転駆動する駆動装置と、前記ドラムが胴部に有する洗濯物出入口を開閉するように設けられた蓋と、この蓋の縁部で形成された給水受口と、前記水槽の内部に給水する給水装置とを具備し、その給水装置による給水の際に、前記ドラムを、前記給水受口が前記給水装置の給水出口の付近で往復する正逆回転動作をさせるようにしたことを特徴とする（請求項１の発明）。
【０００８】
本発明のドラム式洗濯機においては、第２に、水槽と、この水槽の内部に配設されたドラムと、このドラムを回転駆動する駆動装置と、前記ドラムが胴部に有する洗濯物出入口を開閉するように設けられた蓋と、この蓋の縁部で形成され、ドラムの一方の回転方向に指向する給水受口と、前記水槽の内部に給水する給水装置とを具備し、その給水装置による給水の後に、前記ドラムを、前記給水受口の指向方向に回転させるようにしたことを特徴とする（請求項４の発明）。
【発明の効果】
【０００９】
上記第１の手段（請求項１の発明）によれば、給水装置による給水をする際、給水装置の給水出口から蓋の縁部で形成された給水受口を通じてドラム内に直接給水ができる。よって、ドラム内の洗濯物に速やかに水をしみ込ませ得るもので、それにより、洗濯効果を速やかに得ることができ、洗濯時間を短縮することができる。又、その給水の折り、ドラムは上記給水受口が給水装置の給水出口の付近で往復する正逆回転動作をさせるのであるから、ドラムを位置決め固定する必要がない。
【００１０】
第２の手段（請求項４の発明）によれば、給水装置による給水の後に、水槽の内部（ドラムと水槽との間）に溜まった水を、蓋の縁部で形成された給水受口を通じてドラム内に導入することができる。よって、この場合も、ドラム内の洗濯物に速やかに水をしみ込ませ得るもので、それにより、洗濯効果を速やかに得ることができ、洗濯時間を短縮することができる。
【発明を実施するための最良の形態】
【００１１】
以下、本発明の一実施例（一実施形態）につき、図面を参照して説明する。
まず、図２には、ドラム式洗濯機の全体を常態で示しており、台板１と、これに載置結合した外箱２、及び外箱２に被着したトップカバー３とで、外殻４を構成している。この外殻４にあって、その上面部を構成したトップカバー３には、洗濯物出入口５を形成しており、この洗濯物出入口５を、例えばスライド式の前蓋６ａ及び後蓋６ｂから成る蓋６により開閉するようにしている。従って、本構成のドラム式洗濯機はトップオープンタイプとなっている。
【００１２】
外殻４の内部には、水槽７を、複数組（２組のみ図示）のサスペンション８により、前記台板１から弾性支持して配設している。この水槽７は、横軸の円筒状を成しており、その胴部７ａの上部に洗濯物出入口９を形成し、この洗濯物出入口９を、後部にヒンジ１０を有する上下回動式の一枚の蓋１１により開閉するようにしている。又、この水槽７の軸方向の両端板部の一方の外側部には、後述するドラムを回転駆動する駆動装置であるモータ１２とドラムロック装置１３とを配設している。
【００１３】
又、外殻４内の後上部には、給水装置１４を配設している。この給水装置１４は、給水管１５しか図示しないが、ほかに、水道の蛇口に接続される接続口と給水管１５との間にあって例えば電動により開閉される給水弁を有しており、給水管１５先端の給水出口１６を、水槽７の胴部７ａ、特にはこの場合、上記洗濯物出入口９より後方の部位から水槽７内に連通させている。
【００１４】
更に、この場合、給水管１５の途中部には、洗剤投入ケースを配設しており、従って、給水装置１４は、給水弁−洗剤投入ケース−給水管１５で順路が構成され、その途中、洗剤投入ケースを経ることにより、該洗剤投入ケースにセットされた洗剤の流し出しをもするようになっている。
【００１５】
そして、水槽７の内部には、ドラム１７を回転可能に配設している。このドラム１７は、水槽７より径小な横軸の円筒状を成すもので、その左右の軸方向両端板部の各中心部をを水槽７の左右両端板部に図示しない軸受を介して軸支している。又、このドラム１７の
胴部１７ａの一部（図１では上部）に洗濯物出入口１８を形成しており、この洗濯物出入口１８を、前部にヒンジ１９を有する前蓋２１ａ、及び後部にヒンジ２０を有する後蓋２１ｂから成る蓋２１により開閉するようにしている。
【００１６】
更に、ドラム１７には、上記蓋２１の縁部で給水受口２２を形成している。この給水受口２２は、詳細には、この場合、前蓋２１ａと後蓋２１ｂとの重なり合った合わせ部分の隙間でそれとなしたものであり、矢印Ｘで示す、ドラム１７の一方の回転方向に指向している。
【００１７】
このほか、ドラム１７の胴部１７ａには、図示はしないが、脱水用や通風用の連通孔を全域にわたり多数形成している。
更に図示しないが、前記外殻４の内部には、ドラム１７内の空気を除湿し温風化してドラム１７内に還流させることにより洗濯物を乾燥させる乾燥装置をも配設している。
【００１８】
しかして、図３には、ドラム式洗濯機の運転全般を制御する制御手段である制御装置２３を示しており、これは例えばマイクロコンピュータから成っている。この制御装置２３には、前記トップカバー３の前側部に設けた操作パネルが有する各種の操作スイッチから成る操作入力部２４から各種操作信号が入力されると共に、前記ドラム１７の回転位置を検知するように設けたドラム位置検知手段である位置センサ２５から位置検知信号が入力され、更に、前記水槽７内（ドラム１７内）の水位を検知するように設けた水位センサ２６から水位検知信号が入力されるようになっている。
【００１９】
そして、それらの入力並びにあらかじめ記憶された制御プログラムに基づき、制御装置２３は、上記操作パネルが有する各種の表示素子から成る表示部２７と、前記ドラムロック装置１３の駆動源（例えばギヤードモータ）２８、前記給水装置１４の給水弁２９、モータ１２、排水弁３０、乾燥装置の除湿用給水弁３１と、送風機３２、及びヒータ３３、を駆動する駆動回路３４に駆動制御信号を与えるようになっている。
【００２０】
次に、上記構成のものの作用を述べる。
まず、運転を開始する前の状態は、前回の運転を終了する折りに実行した制御による状態を残している。これは、制御装置２３が、ドラム１７の回転位置を位置センサ２５により検知して、モータ１２によるドラム１７の回転を、図２に示すように、水槽７の洗濯物出入口９、ひいては外殻４の洗濯物出入口５にドラム１７の洗濯物出入口１８が合う位置で停止させ、その位置で、ドラムロック装置１３をロック実行位置に作動させた状態であり、ドラムロック装置１３はその作動により、上述の水槽７の洗濯物出入口９（外殻４の洗濯物出入口５）にドラム１７の洗濯物出入口１８が合う位置にドラム１７をロックしている。
【００２１】
この状態で、蓋６，１１，２１が開けられ、外殻４の洗濯物出入口５から、水槽７の洗濯物出入口９及びドラム１７の洗濯物出入口１８を通じてドラム１７内に洗濯物が投入され、蓋２１，１１，６が閉じられて、運転が開始される。
【００２２】
運転が開始されば、最初に、ドラム１７を、モータ１２により、図１に示すように、蓋２１、特にこれの合わせ部分が給水装置１４の給水出口１６を超えて該給水出口１６付近の、例えば後方のほゞ水平位置（給水出口１６下方の位置）Ｏまで回転させた後、モータ１２を電気制動することにより停止させる。そして、その後に、ドラム１７を、その停止位置から一方の矢印Ｘ方向に所定の角度、所定の回転速度で回転させ、次いで、その回転位置から反対の矢印Ｙ方向に同じく所定の角度、所定の回転速度で回転させる。
【００２３】
この場合、その矢印Ｘ方向の所定の角度は、モータ１２の制御可能最小角度である１５度としており、同方向の所定の回転速度は、モータ１２の制御可能最低速度である５〔ｒｐｍ〕としている。又、矢印Ｙ方向の所定の角度は、矢印Ｘ方向に回転した位置から３０度（最初の停止位置からは駆動装置の制御可能最小角度である１５度）としており、同方向の所定の回転速度は、モータ１２の制御可能最低速度である５〔ｒｐｍ〕としている。
【００２４】
これを給水中繰り返すことにより、ドラム１７を、給水受口２２が給水装置１４の給水出口１６の付近で往復する正逆回転動作をさせる。給水は、給水装置１４の給水弁２９を開放させることにより実行するもので、それにより、水道の蛇口から該給水弁２９を通じて供給される水Ｗが、洗剤投入ケースにセットされた洗剤を流し出しつつ、給水管１５を通じて流れ、上記給水出口１６水槽７内に供給される。しかして、この給水出口１６水槽７内に供給された水Ｗは、その給水出口１６の付近で上述の給水受口２２が往復する正逆回転動作を繰り返すドラム１７内にその給水受口２２を通じて供給される。
【００２５】
このように本構成のものでは、水槽７の内部に給水する給水装置１４による給水の際に、ドラム１７を、蓋２１の縁部で形成した給水受口２２が給水装置１４の給水出口１６の付近で往復する正逆回転動作をさせるようにしたことによって、ドラム１７内に直接給水ができるもので、それにより、ドラム１７内の洗濯物に速やかに水をしみ込ませることができる。よって、洗濯効果が速やかに得られ、撹拌時間を長くする必要などなくなるので、洗濯時間を短縮することができる。又、その給水の折り、ドラム１７は給水受口２２が給水装置１４の給水出口１６の付近で往復する正逆回転動作をさせるのであるから、ドラム１７を位置決め固定する必要がなく、そのための例えばドラムロック装置１３によりロックされる構造を必要としない。
【００２６】
又、このときのドラム１７の正逆回転動作の回転速度は、駆動装置であるモータ１２の制御可能最低速度としており、それによって、上述の方式によるドラム１７内への直接給水が無理なく具合良くできる。
更に、このときのドラム１７の正逆回転動作の回転角度は、モータ１２の制御可能最小角度としており、これによっても、上述の方式によるドラム１７内への直接給水が無理なく具合良くできる。
【００２７】
次いで、図４及び図５は、給水後の洗い行程及びすすぎ行程での制御内容を示している。中でも、図４に示すように、給水の後には、ドラム１７を、給水受口２２の指向方向である矢印Ｘ方向に例えば５０〔ｒｐｍ〕の回転速度で連続回転させる。これにより、水槽７の内部（ドラム１７と水槽７との間）に溜まった水Ｗを、給水受口２２を通じてドラム１７内に導入することができる。これによっても、ドラム１７内の洗濯物に速やかに水をしみ込ませ得るもので、それにより、洗濯効果を速やかに得ることができ、洗濯時間を短縮することができる。
【００２８】
そして、この給水直後のドラム１７の回転については、図５に示すように、その回転時限Ｔ１を、その後のドラム１７の回転時限Ｔ２より長くしている。例えば、回転時限Ｔ１は３０秒であり、回転時限Ｔ２は１５秒である。これにより、給水直後の、水槽７の内部から給水受口２２を通じてのドラム１７内への水Ｗの導入が、その後よりも多く行われ、ドラム１７内の洗濯物に一段と速やかに水をしみ込ませ得るので、洗濯効果を一層速やかに得ることができ、洗濯時間を更に短縮することができる。
【００２９】
なお、この給水の後にドラム１７を給水受口２２の指向方向に回転させることと、その給水直後の回転の時限Ｔ１をその後のドラムの回転時限Ｔ２より長くすることは、ドラム１７を前述のように給水受口２２が給水装置１４の給水出口１６の付近で往復する正逆回転をさせながら給水する方式のもので、その給水の後に実行するのではなく、従来のトップオープンタイプのドラム式洗濯機同様に、ドラム１７を回転させないで（図２に示した状態で）給水装置１４の給水出口１６から水槽７とドラム１７との間に給水するもので、その給水の後に実行するようにしても良い。このようにしても、その給水後の制御により、ドラム１７内の洗濯物に速やかに水をしみ込ませ得て、洗濯効果を速やかに得ることができ、洗濯時間を短縮することができる。
【００３０】
又、前述の方式による給水と、その後のドラム１７の回転制御は、洗い行程及びすすぎ行程のいずれか一方、特には洗い行程に関してのみ行うようにしても良い。
更に、ドラム１７の給水受口２２は、蓋２１が前蓋２１ａ及び後蓋２１ｂの二枚構成でなく、一枚構成であれば、その蓋とドラム１７の胴部１７ａとの間で構成するようにしても良い。
そのほか、本発明は上記し且つ図面に示した実施例にのみ限定されるものではなく、例えば乾燥機能の有無等の点につき、要旨を逸脱しない範囲内で適宜変更して実施し得る。
【図面の簡単な説明】
【００３１】
【図１】本発明の一実施例を示す給水中状態の縦断側面図
【図２】運転開始前状態の縦断側面図
【図３】電気的構成のブロック図
【図４】洗い行程及びすすぎ行程状態の縦断側面図
【図５】洗い行程及びすすぎ行程におけるドラムの回転パターンを示すタイムチャート
【符号の説明】
【００３２】
図面中、７は水槽、１２はモータ（駆動装置）、１４は給水装置、１６は給水出口、１７はドラム、１８は洗濯物出入口、２１は蓋、２２は給水受口、２３は制御装置を示す。
【図１】
2005230170.tif 000003
【図２】
2005230170.tif 000004
【図３】
2005230170.tif 000005
【図４】
2005230170.tif 000006
【図５】
2005230170.tif 000007